(57)【要約】【課題】仕切り部の表側面とガスケットの外側面との結露を効果的に抑制できるようにした冷蔵庫を提供する。【解決手段】実施の形態の冷蔵庫１は、閉塞時に突き合う自由端それぞれに、磁石１３を有するガスケット１４１，１４２が設けられ、冷蔵庫開口部を開閉する観音開き式の２枚の扉１１，１２と、２枚の扉の内の一方の扉１１の自由端に垂直軸周りに回転可能に取り付けられ、２枚の扉１１，１２それぞれのガスケット内の磁石１３と吸着する磁石吸着部１７及びヒータ１８を有する仕切り部１５とを備え、ガスケット１４１，１４２は断熱層１４３を備え、かつ、断熱層１４３の扉自由端側の位置に該断熱層を覆うように弾性変形可能な伝熱部１４４Ａを備えたことを特徴とする。【選択図】図３
2011257066.tif 000002
【特許請求の範囲】
【請求項１】
閉塞時に突き合う自由端それぞれに、磁石を有するガスケットが設けられ、冷蔵庫開口部を開閉する観音開き式の２枚の扉と、
前記２枚の扉の内の一方の扉の自由端に垂直軸周りに回転可能に取り付けられ、前記２枚の扉それぞれのガスケット内の磁石と吸着する磁石吸着部及びヒータを有する仕切り部とを備えた冷蔵庫であって、
前記ガスケットは断熱層を備え、かつ、前記断熱層の扉自由端側の位置に該断熱層を覆うように弾性変形可能な伝熱部を備えたことを特徴とする冷蔵庫。
【請求項２】
前記観音開き式の２枚の扉それぞれの自由端に設けられた前記ガスケットそれぞれは、前記２枚の扉の閉塞時に前記伝熱部が該扉と前記仕切り部との間で前記２枚の扉の自由端間の隙間を閉塞するように変形することを特徴とする請求項１に記載の冷蔵庫。
【請求項３】
前記観音開き式の２枚の扉それぞれの自由端に設けた前記ガスケットそれぞれには、扉自由端側に伸びるヒレを設け、前記ヒレそれぞれは扉閉塞時に前記２枚の扉の自由端間の隙間を閉塞するようにしたことを特徴とする請求項１又は２に記載の冷蔵庫。
【請求項４】
前記伝熱部は、前記ガスケット内の磁石の扉対向面から離間して設けたことを特徴とする請求項１〜３のいずれかに記載の冷蔵庫。
【請求項５】
前記ガスケットは、前記断熱層の扉自由端側に前記伝熱部により第１の断熱部を形成し、前記断熱層の扉ヒンジ端側に袋状の第２の断熱部を形成し、前記第１の断熱部の長さを前記第２の断熱部の長さよりも長くしたことを特徴とする請求項１〜４のいずれかに記載の冷蔵庫。
【発明の詳細な説明】
【技術分野】
【０００１】
本発明の実施の形態は、観音開き式扉を備えた冷蔵庫に関する。
【背景技術】
【０００２】
従来、観音開き式扉を備えた冷蔵庫では、２枚の扉の自由端それぞれを縦の仕切り部に磁石で吸着させることにより閉塞するようにしている。
【０００３】
この種の冷蔵庫では、庫内温度の低下に伴い仕切り部と扉の自由端に設けたガスケットが冷やされ、仕切り部の外側とガスケットの外側に結露が発生する。この結露に対する温度上昇を確保するために、従来は、仕切り部にヒータを設けて加熱すると共に、ガスケットで熱漏洩を抑制するため、ガスケットを扁平な袋状にして、扉裏面と仕切り部表面との間を密閉し、熱伝達を減少させるようにしていた。
【０００４】
しかしながら、従来のガスケットの形状では熱漏洩を抑制するには不十分であり、結露を効果的に抑制することができず、結露を防止するためにヒータ入力を増加することで対応しており、電力消費の抑制が十分にできない問題点があった。
【先行技術文献】
【特許文献】
【０００５】
【特許文献１】特開２００９−２５０６０２号公報
【発明の概要】
【発明が解決しようとする課題】
【０００６】
本発明は、上記従来技術の課題に鑑みてなされたもので、仕切り部の表側面とガスケットの外側面との結露を効果的に抑制することができる冷蔵庫を提供することを目的とする。
【課題を解決するための手段】
【０００７】
実施の形態の冷蔵庫は、閉塞時に突き合う自由端それぞれに、磁石を有するガスケットが設けられ、冷蔵庫開口部を開閉する観音開き式の２枚の扉と、前記２枚の扉の内の一方の扉の自由端に垂直軸周りに回転可能に取り付けられ、前記２枚の扉それぞれのガスケット内の磁石と吸着する磁石吸着部及びヒータを有する仕切り部とを備え、前記ガスケットは断熱層を備え、かつ、前記断熱層の扉自由端側の位置に該断熱層を覆うように弾性変形可能な伝熱部を備えたことを特徴とするものである。
【図面の簡単な説明】
【０００８】
【図１】第１の実施の形態の冷蔵庫の斜視図。
【図２】第１の実施の形態の冷蔵庫の観音開き式扉を開き、他の扉を引き出した状態の斜視図。
【図３】第１の実施の形態の冷蔵庫における観音開き式扉の左右の扉の閉塞状態を示す一部切欠せる断面図。
【図４】第２の実施の形態の冷蔵庫における観音開き式扉の左右の扉の閉塞状態を示す一部切欠せる断面図。
【図５】第３の実施の形態の冷蔵庫における観音開き式扉の左右の扉の閉塞状態を示す一部切欠せる断面図。
【図６】第４の実施の形態の冷蔵庫における観音開き式扉の左右の扉の閉塞状態を示す一部切欠せる断面図。
【発明を実施するための形態】
【０００９】
以下、実施の形態を図に基づいて詳説する。
【００１０】
［第１の実施の形態］
図１、図２に示すように、第１の実施の形態の観音開き式扉の冷蔵庫１は、上約半分が観音開き式の開閉する２枚の扉１１，１２にて閉塞される冷蔵室２とし、その下に野菜室３、その下に製氷室４とサブ冷凍室５、さらにその下に主冷凍室６を区分して設けてある。野菜室３には野菜ケース３Ａ、製氷室４には氷ケース４Ａ、サブ冷凍室５にはサブ冷凍室ケース５Ａ、主冷凍室６には主冷凍室ケース６Ａそれぞれが引き出し式に収容してある。そしてそれぞれには引き出し用扉３Ｂ，４Ｂ，５Ｂ，６Ｂが取り付けてある。
【００１１】
冷蔵室２の前面開口部には、該開口部を幅方向に区分し、冷蔵庫本体の左右両側に設けたヒンジ２１，２２で回動自在に枢支した観音開き式の（向かって左の）左扉１１および（向かって右の）右扉１２が設けられており、両扉１１，１２により閉塞されるように構成されている。両扉１１，１２の裏面周縁部それぞれには、内部にマグネット１３（図３参照）を備えたガスケット１４１，１４２それぞれが全周にわたって取り付けられている。また一方の扉、図１、図２では左扉１１の自由端の裏面にはガスケット１４１と共に、縦方向のほぼ全長に亘る長さの仕切り部１５が軸支してある。
【００１２】
両扉１１，１２を同時に開いてから閉じる時、あるいはいずれか一方を開いてから閉じる時、この仕切り部１５とガスケット１４１，１４２により冷蔵室２を密閉する動作は、特許文献１に記載されているものと同様である。すなわち、仕切り部１５が扉表面に略垂直な姿勢にある開扉状態から左扉１１を閉じると、バネ作用により扉表面にほぼ平行な姿勢まで仕切り部１５が回動する。これにより、仕切り部１５の表側面の左半分は左扉１１の自由端部の裏側面に対向し、仕切り部１５の表側面の右半分は右扉１２の自由端部の裏側に対向する。そして、ガスケット１４１，１４２の内部に挿入してある磁石１３が仕切り部１５の表面の鉄板１７に吸着し、ガスケット１４１，１４２が仕切り部１５の表面に密着し、冷蔵室２を密閉するようになる。
【００１３】
このような観音開き式冷蔵庫１において、本実施の形態の特徴部分は、ガスケット１４１，１４２の構造にある。図３に示すように、仕切り部１５の表側面には鉄板１７が配置され、この鉄板１７の裏面で仕切り部１５の内部にはヒータ１８が配設してある。
【００１４】
左右の扉１１，１２それぞれの自由端部の裏面に取り付けられたガスケット１４１，１４２それぞれは、例えば柔軟な塩化ビニル樹脂材のような弾性変形する材料で製作されたもので、帯状の長尺な磁石１３が挿通され、扁平な長尺のものである。そして、内部は断熱空間を持つように二重構造に成形してあって、内部の断熱層１４３に対してその扉自由端側に二重構造になるように伝熱部１４４Ａが形成してあり、同時に、扉ヒンジ端側には断熱部１４４Ｂが二重構造になるように形成してある。断熱層１４３と伝熱部１４４Ａの間、断熱層１４３と断熱部１４４Ｂとの間は空気で隔てて断熱性を高めてある。また、断熱層１４３の扉自由端側の伝熱部１４４Ａの突出長は、断熱層１４３の扉ヒンジ端側に袋状の断熱部１４４Ｂの突出長よりも長く設定してあり、これにより、後述するヒータ１８の熱の受熱面積を大きくしてある。
【００１５】
さらに、ガスケット１４１，１４２それぞれの扉自由端側の伝熱部１４４Ａは仕切り部１５の表側面の鉄板１７に対して若干のクリアランスが空く形状にしてある。このクリアランスは、伝熱部１４４Ａが直接に鉄板１７に接触することによりヒータ１８の熱を直接に受けて高温になり、早く劣化してしまうのを抑制するためである。
【００１６】
本実施の形態の冷蔵庫１では、上の特徴的なガスケット１４１，１４２により、両扉１１，１２が閉じて冷蔵室２を閉塞している状態では、冷蔵室２側の冷気が直接に接触するのは断熱層１４３の扉ヒンジ端側に形成された断熱部１４４Ｂであり、冷蔵室２の冷気が従来のように断熱層１４３に直接に接触しないので、断熱層１４３が冷気により冷やされる度合いが従来よりも少なくなる。そして、断熱層１４３よりも扉自由端側に形成された伝熱部１４４Ａは仕切り部１５の内部のヒータ１８の熱を従来の断熱層１４３だけの場合よりも広い面積で受熱することにより、この断熱層１４３と伝熱部１４４Ａの表面に結露するのを効果的に防止できる。
【００１７】
尚、本実施の形態では、扉ヒンジ端側の断熱部１４４Ｂは形成せず、断熱層１４３に対して扉自由端側の片側だけに伝熱部１４４Ａを形成する構造にしてガスケット１４１，１４２の形状の増加を小さくし、それによってガスケット１４１，１４２のコストの上昇を抑えてもよい。その場合でも、断熱層１４３よりも扉自由端側に形成された伝熱部１４４Ａが仕切り部１５の内部のヒータ１８の熱を従来の断熱層１４３だけの場合よりも広い面積で受熱することにより、この断熱層１４３と伝熱部１４４Ａの表面に結露するのを従来よりも効果的に防止できる。
【００１８】
［第２の実施の形態］
第２の実施の形態の冷蔵庫１の構造は、第１の実施の形態と同様、図１、図２に示したものである。そして、本実施の形態の特徴部分は、図４に示すガスケット１４１−１，１４２−１の構造にある。本実施の形態では、ガスケット１４１−１，１４２−１それぞれの扉自由端側の伝熱部１４４Ａ１を第１の実施の形態の伝熱部１４４Ａよりも大きくせり出す形状に成形し、両扉１１，１２が閉じて冷蔵室２を閉塞している状態で、伝熱部１４４Ａ１の突端面同士が接触するようにしている。ガスケット１４１−１，１４２−１それぞれの扉ヒンジ端側の断熱部１４４Ｂの形状は第１の実施の形態と同様である。また、断熱層１４３の扉自由端側の伝熱部１４４Ａ１の突出長は、断熱層１４３の扉ヒンジ端側に袋状の断熱部１４４Ｂの突出長よりも長く設定してあり、ヒータ１８の熱の受熱面積を大きくしてある。
【００１９】
本実施の形態によれば、第１の実施の形態のように、両扉１１，１２が閉じて冷蔵室２を閉塞している状態では、ガスケット１４１−１，１４２−１における冷蔵室２側の冷気が直接に接触する扉ヒンジ端側の断熱部１４４Ｂの存在により、冷蔵室２の冷気が断熱層１４３に直接に接触しないので、断熱層１４３が冷気によって冷やされる度合いを従来よりも少なくし、加えて、断熱層１４３よりも扉自由端側の大きくせり出した伝熱部１４４Ａ１により仕切り部１５の内部のヒータ１８の熱を第１の実施の形態よりもさらに広い面積で受熱することにより、この断熱層１４３と伝熱部１４４Ａ１の表面に結露するのを効果的に防止することができる。さらに、両扉１１，１２が閉じて冷蔵室２を閉塞している状態で、伝熱部１４４Ａ１の突端面同士が接触する構造にしたことにより、それらの仕切り部１５側の空間の暖気が外部に漏れ出るのを防止でき、この面からも断熱層１４３と伝熱部１４４Ａ１の表面に結露するのを効果的に防止することができる。
【００２０】
尚、本実施の形態にあっても、コスト低減の必要な場合などには、扉ヒンジ端側の断熱部１４４Ｂを省略することも可能である。
【００２１】
［第３の実施の形態］
第３の実施の形態の冷蔵庫１の構造は、第１の実施の形態と同様、図１、図２に示したものである。そして、本実施の形態の特徴部分は、図５に示すガスケット１４１−２，１４２−２の構造にある。
【００２２】
図５に示すように、本実施の形態では、左扉１１に取り付けたガスケット１４１−２は、第１の実施の形態のガスケット１４１と同様のものである。そして、右扉１２に取り付けたガスケット１４２−２は、扉自由端側の伝熱部１４４Ａにヒレ１４５を形成したことを特徴としている。ガスケット１４１−２，１４２−２それぞれの扉ヒンジ端側の断熱部１４４Ｂの形状は第１の実施の形態と同様である。
【００２３】
本実施の形態によれば、図５に示す両扉１１，１２が閉じて冷蔵室２を閉塞している状態では、第１の実施の形態と同様に、冷蔵室２側の冷気が扉ヒンジ端側の断熱部１４４Ｂに直接接触し、従来のように断熱層１４３には直接に接触しないので、断熱層１４３が冷気により冷やされる度合いが従来よりも少なくなる。そして、断熱層１４３よりも扉自由端側に形成された伝熱部１４４Ａは仕切り部１５の内部のヒータ１８の熱を従来の断熱層１４３だけの場合よりも広い面積で受熱することにより、この断熱層１４３と伝熱部１４４Ａの表面に結露するのを効果的に防止することができる。加えて、本実施の形態では、伝熱部１４４Ａのヒレ１４５が両方のガスケット１４１−２，１４２−２の突端面間の隙間を塞ぐように位置し、外気がこの隙間に自由に入り込むのを防ぎ、同時にヒータ１８の熱を隙間に閉じ込める働きをし、両方のガスケット１４１−２，１４２−２それぞれの断熱層１４３と伝熱部１４４Ａの表面に結露するのをいっそう効果的に防止することができる。
【００２４】
尚、本実施の形態でも、扉ヒンジ端側の断熱部１４４Ｂは形成せず、断熱層１４３に対して扉自由端側の片側だけに伝熱部１４４Ａを形成する構造にしてガスケット１４１−２，１４２−２の形状の増加を小さくし、それによってガスケット１４１−２，１４２−２のコストの上昇を抑えてもよい。その場合でも、断熱層１４３よりも扉自由端側に形成された伝熱部１４４Ａとヒレ１４５の作用により、仕切り部１５の内部のヒータ１８の熱を従来の断熱層１４３だけの場合よりも広い面積で受熱し、同時に隙間への外気の入り込み、ヒータ１８で温められた空気の流れ出しが防止できて、この断熱層１４３と伝熱部１４４Ａの表面に結露するのを従来よりも効果的に防止できる。
【００２５】
［第４の実施の形態］
第４の実施の形態の冷蔵庫１の構造は、第１の実施の形態と同様、図１、図２に示したものである。そして、本実施の形態の特徴部分は、図６に示すガスケット１４１−３，１４２−３の構造にある。
【００２６】
図６に示すように、本実施の形態では、左右の扉１１，１２それぞれのガスケット１４１−３，１４２−３に対して、それぞれの扉自由端側の伝熱部１４４Ａにヒレ１４５，１４６を形成したことを特徴とする。ガスケット１４１−３，１４２−３それぞれの扉ヒンジ端側の断熱部１４４Ｂの形状は第１の実施の形態と同様である。
【００２７】
本実施の形態によれば、図６に示す両扉１１，１２が閉じて冷蔵室２を閉塞している状態では、第１の実施の形態と同様に、冷蔵室２側の冷気が扉ヒンジ端側の断熱部１４４Ｂに直接接触し、従来のように断熱層１４３には直接に接触しないので、断熱層１４３が冷気により冷やされる度合いが従来よりも少なくなる。そして、断熱層１４３よりも扉自由端側に形成された伝熱部１４４Ａは仕切り部１５の内部のヒータ１８の熱を従来の断熱層１４３だけの場合よりも広い面積で受熱することにより、この断熱層１４３と伝熱部１４４Ａの表面に結露するのを効果的に防止することができる。加えて、本実施の形態では、左右の伝熱部１４４Ａのヒレ１４５，１４６が左右のガスケット１４１−３，１４２−３の先端間の隙間を塞ぐように位置し、外気がこの隙間に自由に入り込むのを確実に防ぎ、同時にヒータ１８の熱を隙間に閉じ込める働きをし、両方のガスケット１４１−３，１４２−３それぞれの断熱層１４３と伝熱部１４４Ａの表面に結露するのをよりいっそう効果的に防止することができる。
【００２８】
尚、本実施の形態でも、扉ヒンジ端側の断熱部１４４Ｂは形成せず、断熱層１４３に対して扉自由端側の片側だけに伝熱部１４４Ａを形成する構造にしてガスケット１４１−３，１４２−３の形状の増加を小さくし、それによってガスケット１４１−３，１４２−３のコストの上昇を抑えてもよい。その場合でも、断熱層１４３よりも扉自由端側に形成された伝熱部１４４Ａとヒレ１４５，１４６の作用により、仕切り部１５の内部のヒータ１８の熱を従来の断熱層１４３だけの場合よりも広い面積で受熱し、同時に隙間への外気の入り込み、ヒータ１８で温められた空気の流れ出しが防止できて、この断熱層１４３と伝熱部１４４Ａの表面に結露するのを従来よりも効果的に防止できる。
【００２９】
また、第５、第６の実施の形態において伝熱部１４４Ａに形成したヒレ１４５，１４６については、第２の実施の形態の伝熱部１４４Ａ１に対しても同様に設けることができる。
【００３０】
さらに、上記の各実施の形態では左扉１１に仕切り部１５を設けた例を示したが、上記各実施の形態とは鏡対称に、右扉１２に設けるものとすることもできる。
【００３１】
本発明は、上記実施の形態そのままに限定されるものではなく、実施段階ではその要旨を逸脱しない範囲で構成要素を変形して具体化できる。また、上記実施の形態に開示されている複数の構成要素の適宜の組み合わせにより種々の発明を構成できる。また、発明の要旨を逸脱しない範囲で構成要素の適宜の削除も許容される。
【符号の説明】
【００３２】
１  冷蔵庫
２  冷蔵室
１１  左扉
１２  右扉
１３  磁石
１４１，１４１−１，１４１−２，１４１−３  ガスケット
１４２，１４２−１，１４２−２，１４２−３  ガスケット
１４３  断熱層
１４４Ａ，１４４Ａ１  伝熱部
１４４Ｂ  伝熱部
１４５，１４６  ヒレ
１５  仕切り部
１７  鉄板
１８  ヒータ
【図１】
2011257066.tif 000003
【図２】
2011257066.tif 000004
【図３】
2011257066.tif 000005
【図４】
2011257066.tif 000006
【図５】
2011257066.tif 000007
【図６】
2011257066.tif 000008